(57)【要約】【課題】吸引の際に息を吐き出してしまった場合でも薬剤が放出されることを防止することができる吸引器を提供すること。【解決手段】本考案に係る吸引器１は、収納部１０と、容器本体２０と、吸入管部３０と、第１逆止弁４１と、を備える。収納部１０は、粉状の薬剤Ｐ１及びＰ２を収納する部分である。容器本体２０は、収納部１０と隣接する隔壁部２１と、隔壁部２１と対向する底部２２とを有する。隔壁部２１には第１孔ｈ１が設けられ、底部２２には第２孔ｈ２が設けられる。吸入管部３０は吸入路３１を有し、隔壁部２１を間にして収納部１０とは反対側に設けられる。第１逆止弁４１は、第１孔ｈ１に対して開閉するように設けられる。第１逆止弁４１は、吸入路３１を収納部１０から吸入管部３０へ向かう第１方向Ｄ１に空気が流れると開き、吸入路３１を第１方向Ｄ１とは反対の第２方向Ｄ２に空気が流れると閉じる。【選択図】図１
0003197551.tif 000002
【実用新案登録請求の範囲】
【請求項１】
粉状の薬剤を収納する収納部と、
前記収納部と隣接する隔壁部と、前記隔壁部と対向する底部とを有し、前記隔壁部には第１孔が設けられ、前記底部には第２孔が設けられた容器本体と、
前記隔壁部を間にして前記収納部とは反対側に設けられた吸入路を有する吸入管部と、
前記第１孔に対して開閉するように設けられ、前記吸入路を前記収納部から前記吸入管部へ向かう第１方向に空気が流れると開き、前記吸入路を前記第１方向とは反対の第２方向に空気が流れると閉じる第１逆止弁と、
を備えたことを特徴とする吸入器。
【請求項２】
前記第２孔に対して開閉するように設けられ、前記吸入路を前記第１方向に空気が流れると開き、前記吸入路を前記第２方向に空気が流れると閉じる第２逆止弁をさらに備えたことを特徴とする請求項１記載の吸引器。
【請求項３】
前記収納部は、前記底部側に設けられた第３孔を有するとともに、前記容器本体に対してスライド可能に設けられ、
前記収納部を前記容器本体に対して第１の位置に配置した状態では前記第１孔と前記第２孔とを結ぶ直線上に前記第３孔は配置されず、
前記収納部を前記容器本体に対して前記第１の位置とは異なる第２の位置に配置した状態では前記直線上に前記第３孔が配置されることを特徴とする請求項１または２に記載の吸入器。
【請求項４】
前記第３孔に対して開閉するように設けられ、前記吸入路を前記第１方向に空気が流れると開き、前記吸入路を前記第２方向に空気が流れると閉じる第３逆止弁をさらに備えたことを特徴とする請求項３記載の吸引器。
【請求項５】
前記収納部は、第１容器部と、第２容器部と、を有するとともに、前記容器本体に対してスライド可能に設けられ、
前記第１容器部の前記底部側には第３が設けられ、
前記第２容器部の前記底部側には第４孔が設けられ、
前記収納部を前記容器本体に対して第１の位置に配置した状態では前記第１孔と前記第２孔とを結ぶ直線上に、前記第３孔及び前記第４孔は配置されず、
前記収納部を前記容器本体に対して前記第１の位置とは異なる第２の位置に配置した状態では前記直線上に前記第３孔が配置され、
前記収納部を前記容器本体に対して前記第１の位置及び前記第２の位置とは異なる第３の位置に配置した状態では前記直線上に前記第４孔が配置されることを特徴とする請求項１または２に記載の吸引器。
【請求項６】
前記第３孔に対して開閉するように設けられ、前記吸入路を前記第１方向に空気が流れると開き、前記吸入路を前記第２方向に空気が流れると閉じる第３逆止弁と、
前記第４孔に対して開閉するように設けられ、前記吸入路を前記第１方向に空気が流れると開き、前記吸入路を前記第２方向に空気が流れると閉じる第４逆止弁とをさらに備えたことを特徴とする請求項５記載の吸引器。
【請求項７】
前記吸入路を空気が流れる際に発音する発音部をさらに備えたことを特徴とする請求項１〜６のいずれか１つに記載の吸引器。
【請求項８】
前記発音部は、前記吸入路を前記第１方向に空気が流れる際に第１の音色で発音し、前記吸入路を前記第２方向に空気が流れる際に前記第１の音色とは異なる第２の音色で発音することを特徴とする請求項７記載の吸引器。
【考案の詳細な説明】
【技術分野】
【０００１】
本考案は吸引器に関し、特に粉状の薬剤を吸い込んで体内に取り込む際に用いられる吸引器に関する。
【背景技術】
【０００２】
薬剤を粉状にして吸引により体内に取り込む吸引式の服用は、即効性を有することで優れた治療効果が期待されている。このような吸引式の服用は、高濃度の薬剤を効率良く体内に取り込むことができるため、近年では特にインフルエンザの治療において多く利用されるようになっている。
【０００３】
吸引によって粉状の薬剤を体内に取り込むには吸引器が使用される。すなわち、患者は吸引器の吸入口をくわえて息を吸い込むことで、吸引器内の粉状の薬剤を吸い込むようにして取り込む。
【０００４】
ここで、特許文献１には、ドライパウダー吸入器が開示されている。このドライパウダー吸入器は、マウスピースを備えた吸入器本体と、吸入器本体の開口部内に取り付けられたパウダーカートリッジとを備えている。このドライパウダー吸入器では、吸入を行う前にパウダーカートリッジを移動させる。これにより、カートリッジ内の散剤をマウスピースに送達することが可能になる。この状態で患者がマウスピースから吸引することにより、パウダーカートリッジ内の散剤をマウスピースを介して体内に吸い込むことができるようになる。
【先行技術文献】
【特許文献】
【０００５】
【特許文献１】特表２００９−５３７１９９号公報
【考案の概要】
【考案が解決しようとする課題】
【０００６】
しかしながら、吸引器を用いて粉状の薬剤を吸い込む場合、誤って息を吐き出してしまったり、咳をしてしまうことがある。特に、患者が幼児やお年寄り、吸引器の取り扱いになれていない人の場合など、タイミングよく吸い込む動作を行うことができず、吸引器を口にくわえたまま息を吐き出してしまうこともある。この場合、吐き出した空気の勢いで薬剤が空気孔から外へ出てしまうという問題がある。
【０００７】
本考案の目的は、吸入口をくわえた状態で息を吐き出しても薬剤が放出されることを防止することができる吸引器を提供することである。
【課題を解決するための手段】
【０００８】
上記課題を解決するため、本考案に係る吸引器は、収納部と、容器本体と、吸入管部と、第１逆止弁と、を備える。収納部は、粉状の薬剤を収納する部分である。容器本体は、収納部と隣接する隔壁部と、隔壁部と対向する底部とを有する。隔壁部には第１孔が設けられ、底部には第２孔が設けられる。吸入管部は吸入路を有し、隔壁部を間にして収納部とは反対側に設けられる。第１逆止弁は、第１孔に対して開閉するように設けられる。第１逆止弁は、吸入路を収納部から吸引管部へ向かう第１方向に空気が流れると開き、吸入路を第１方向とは反対の第２方向に空気が流れると閉じる。
【０００９】
このような構成によれば、使用者が吸入管部を介して薬剤を吸引する際には第１逆止弁が開き、収納部から吸入路を介して薬剤が使用者の体内に取り込まれる。一方、使用者が息を吐き出した場合には第１逆止弁が閉じて第１孔が塞がれる。これにより、息を吐き出した際の空気が収納部に流れ込むことを抑制して、薬剤が第２孔から外へ出てしまうことを防止することができる。
【００１０】
本考案の吸引器において、第２逆止弁をさらに備えていてもよい。第２逆止弁は、第２孔に対して開閉するように設けられる。第２逆止弁は、吸入路を第１方向に空気が流れると開き、吸入路を第２方向に空気が流れると閉じる。
【００１１】
このような構成によれば、使用者が吸入管部を介して薬剤を吸引する際には第２逆止弁が開き、第２孔を介して外部の空気が収納部から吸入路に取り込まれる。一方、使用者が息を吐き出した場合には第２逆止弁が閉じて第２孔が塞がれる。これにより、息を吐き出した際の空気が収納部から第２孔を介して外部に抜けることを抑制して、薬剤が第２孔から外へ出てしまうことを防止することができる。
【００１２】
本考案の吸引器において、収納部は、隔壁部側に設けられた第３孔を有するとともに、容器本体に対してスライド可能に設けられていてもよい。この構成において、収納部を容器本体に対して第１の位置に配置した状態では第１孔と第２孔とを結ぶ直線上に第３孔は配置されず、収納部を容器本体に対して第１の位置とは異なる第２の位置に配置した状態では前記直線上に第３孔が配置されるようにする。
【００１３】
このような構成では、収納部が第１の位置に配置された状態では収納部から吸入管部への空気の通路が形成されず、薬剤は供給されない。一方、収納部が第２の位置に配置された状態では収納部から吸入管部にかけて第１孔、第２孔及び第３孔が直線上に配置され、良好な空気の流れによって容易に薬剤を吸引することができるようになる。
【００１４】
本考案の吸引器において、第２逆止弁をさらに備えていてもよい。第２逆止弁は、第３孔に対して開閉するように設けられる。第２逆止弁は、吸入路を第１方向に空気が流れると開き、吸入路を第２方向に空気が流れると閉じる。
【００１５】
このような構成によれば、使用者が吸入管部を介して薬剤を吸引する際には第２逆止弁が開き、第２孔及び第３孔を介して外部の空気が収納部から吸入路に取り込まれる。一方、使用者が息を吐き出した場合には第２逆止弁が閉じて第３孔が塞がれる。これにより、息を吐き出した際の空気が収納部から第２孔及び第３孔を介して外部に抜けることを抑制して、薬剤が第２孔及び第３孔から外へ出てしまうことを防止することができる。
【００１６】
本考案の吸引器において、収納部は、第１容器部と、第２容器部と、を有するとともに、容器本体に対してスライド可能に設けられていてもよい。この構成において、第１容器部の底部側には第３孔が設けられる。第２容器部の底部側には第４孔が設けられる。さらに、この構成において、収納部を容器本体に対して第１の位置に配置した状態では第１孔と第２孔とを結ぶ直線上に、第３孔及び第４孔は配置されない。収納部を容器本体に対して第１の位置とは異なる第２の位置に配置した状態では前記直線上に第３孔が配置される。また、収納部を容器本体に対して第１の位置及び第２の位置とは異なる第３の位置に配置した状態では前記直線上に第４孔が配置される。
【００１７】
このような構成によれば、収納部が第１の位置に配置された状態では収納部から吸入管部への空気の通路が形成されず、薬剤は供給されない。一方、収納部が第２の位置に配置された状態では第１容器部から吸入管部にかけて第１孔、第２孔及び第３孔が直線上に配置され、良好な空気の流れによって第１容器部に収納された薬剤を容易に吸引することができるようになる。また、収納部が第３の位置に配置された状態では第２容器部から吸入管部にかけて第１孔、第２孔及び第４孔が直線上に配置され、良好な空気の流れによって第２容器部に収納された薬剤を容易に吸引することができるようになる。すなわち、収納部の位置によって第１容器部に収納された薬剤の吸入と、第２容器部に収納された薬剤の吸入とを切り替えることができる。
【００１８】
本考案の吸引器において、第２逆止弁と、第３逆止弁とをさらに備えていてもよい。第２逆止弁は、第３孔に対して開閉するように設けられる。第２逆止弁は、吸入路を第１方向に空気が流れると開き、吸入路を第２方向に空気が流れると閉じる。第３逆止弁は、第４孔に対して開閉するように設けられる。第３逆止弁は、吸入路を第１方向に空気が流れると開き、吸入路を第２方向に空気が流れると閉じる。
【００１９】
このような構成によれば、収納部を第２の位置に配置した状態で使用者が吸入管部を介して薬剤を吸引する際には第２逆止弁が開き、第２孔及び第３孔を介して外部の空気が収納部から吸入路に取り込まれる。一方、使用者が息を吐き出した場合には第２逆止弁が閉じて第３孔が塞がれる。また、収納部を第３の位置に配置した状態で使用者が吸入管部を介して薬剤を吸引する際には第３逆止弁が開き、第２孔及び第４孔を介して外部の空気が収納部から吸入路に取り込まれる。一方、使用者が息を吐き出した場合には第３逆止弁が閉じて第４孔が塞がれる。これにより、息を吐き出した際の空気が収納部から第２孔、第３孔及び第４孔を介して外部に抜けることを抑制して、薬剤が外へ出てしまうことを防止することができる。
【００２０】
本考案の吸引器において、吸入路を空気が流れる際に発音する発音部をさらに備えていてもよい。このような構成によれば、発音部から発音の有無によって吸入路の空気の流れを把握することができる。
【００２１】
本考案の吸引器において、発音部は、吸入路を第１方向に空気が流れる際に第１の音色で発音し、吸入路を第２方向に空気が流れる際に第１の音色とは異なる第２の音色で発音するようにしてもよい。このような構成によれば、音色によって使用者が吸入しているのか、吐き出しているのかを把握することができる。
【考案の効果】
【００２２】
本考案によれば、吸引口をくわえた状態で息を吐き出してしも薬剤が放出されることを防止することができる吸引器を提供することが可能になる。
【図面の簡単な説明】
【００２３】
【図１】第１の実施形態を説明する図である。
【図２】吸引器の使用方法を説明する断面図である。
【図３】第１の実施形態の変形例を説明する断面図である。
【図４】第１の実施形態の変形例を説明する断面図である。
【図５】第２の実施形態を説明する断面図である。
【図６】第１逆止弁の一例を説明する斜視図である。
【図７】第３の実施形態を説明する断面図である。
【図８】第３の実施形態を説明する分解斜視図である。
【図９】第４の実施形態を説明する図である。
【考案を実施するための形態】
【００２４】
以下、本考案の実施形態を図に基づき説明する。なお、以下の説明では、同一の部材には同一の符号を付し、一度説明した部材については適宜その説明を省略する。
【００２５】
（第１の実施形態）
図１（ａ）の斜視図に表したように、本実施形態に係る吸引器１は、粉状の薬剤Ｐ１及びＰ２を収納する収納部１０と、容器本体２０と、吸入路３１を有する吸入管部３０と、を備える。吸引器１は、収納部１０に収納された粉状の薬剤Ｐ１及びＰ２を吸引によって体内に取り込むための器具である。吸入を行う際には、使用者は、吸引器１の吸入管部３０を口にくわえ、息を吸い込むようにする。これにより、収納部１０に収納された粉状の薬剤Ｐ１及びＰ２が空気とともに吸入路３１を介して使用者の体内に吸い込まれる。
【００２６】
図１（ｂ）の断面図に表したように、容器本体２０は、収納部１０と隣接する隔壁部２１と、隔壁部２１と対向する底部２２とを有する。隔壁部２１には、隔壁部２１の厚さ方向に貫通する第１孔ｈ１が設けられる。底部２２には、底部２２の厚さ方向に貫通する第２孔ｈ２が設けられる。第１孔ｈ１は、吸入管部３０の吸入路３１の下方に設けられる。第２孔ｈ２も吸入路３１の下方に設けられる。第１孔ｈ１及び第２孔ｈ２は、吸入路３１の延長線上に重なるように配置されていることが望ましい。
【００２７】
吸入管部３０は、隔壁部２１を間にして収納部１０とは反対側に設けられる。吸入管部３０は、容器本体２０の表裏の外装部２６の間に挟まれるように設けられるとともに、リブ２５によって支持される。なお、説明の便宜上、断面図ではリブ２５を省略している。吸入管部３０の下端と隔壁部２１との間には隙間が設けられる。この隙間は、容器本体２０の側面に設けられた空気孔ｈ１０と連通する。
【００２８】
収納部１０は、容器本体２０の隔壁部２１と底部２２との間に配置される。吸引器１において、収納部１０は容器本体２０に対してスライド可能にセットされている。すなわち、収納部１０は、隔壁部２１と底部２２との間の空間に差し込まれており、隔壁部２１と底部２２との間で横方向にスライド移動できるようになっている。
【００２９】
吸引器１における収納部１０には、第１容器部１１と、第２容器部１２とが設けられる。第１容器部１１は、第２容器部１２と仕切り部１０ｗを介して並列に配置される。第１容器部１１には薬剤Ｐ１が収納され、第２容器部１２には薬剤Ｐ２が収納される。薬剤Ｐ１は、薬剤Ｐ２と同じ成分であっても、異なる成分であってもよい。
【００３０】
第１容器部１１の底部２２側には第３孔ｈ３が設けられ、第２容器部１２の底部２２側には第４孔ｈ４が設けられる。収納部１０をスライドさせた場合の動作については後述する。
【００３１】
本実施形態に係る吸引器１においては、第１孔ｈ１に対して開閉するように設けられた第１逆止弁４１が設けられる。第１逆止弁４１は、例えば隔壁部２１の上に取り付けられる。第１逆止弁４１は、吸入路３１を収納部１０から吸入管部３０へ向かう第１方向Ｄ１に空気が流れると開き、吸入路３１を第１方向Ｄ１とは反対の第２方向Ｄ２に空気が流れると閉じるよう動作する。
【００３２】
図１（ｂ）に表した第１逆止弁４１は可動片型になっている。なお、第１逆止弁４１の構造は、このような可動片型以外であってもよい。使用者が吸引を行う際、息を吸い込むと、吸入路３１内の空気は第１方向Ｄ１に流れる。このとき第１逆止弁４１は開いているため、第１孔ｈ１を介して薬剤Ｐ１またはＰ２が吸入路３１に送り込まれる。一方、使用者が息を吐き出すと、吸入路３１内の空気は第２方向Ｄ２に流れる。このとき第１逆止弁４１は閉じているため、第１孔ｈ１を介して収納部１０側へ空気は送り込まれない。したがって、使用者が息を吐き出しても収納部１０へ空気が入り込むことがなく、収納部１０内の薬剤Ｐ１及びＰ２が外へ放出されるのを抑制することができる。
【００３３】
ここで、吸引器１の具体的な使用方法について説明する。先ず、図１（ｂ）に表したように、収納部１０がスライドしておらず容器本体２０の内側に収まっている位置（第１の位置）にある場合、第１孔ｈ１と第２孔ｈ２とを結ぶ直線上に第３孔ｈ３及び第４孔ｈ４は配置されない。この状態では、第１孔ｈ１及び第２孔ｈ２は仕切り部１０ｗによって塞がれており、薬剤Ｐ１及びＰ２が収納部１０の外に出ることはない。
【００３４】
次に、図２（ａ）に表したように、収納部１０を矢印Ａに示す方向にスライドさせる。これにより、収納部１０の第１容器部１１が、吸入管部３０の下方に配置される（第２の位置）。収納部１０が第２の位置に配置されると、第１容器部１１の第３孔ｈ３と、容器本体２０の底部２２の第２孔ｈ２とが重なる。すなわち、第１孔ｈ１と第２孔ｈ２とを結ぶ直線上に第３孔ｈ３が配置される。
【００３５】
この状態で、使用者は吸入管部３０を口にくわえて息を吸い込む。この吸い込み動作によって吸入路３１内の空気が第１方向Ｄ１に流れ、第１逆止弁４１が開く。さらに、吸い込みを続けると、吸引器１の外部の空気が第２孔ｈ２及び第３孔ｈ３を介して第１容器部１１内に取り込まれ、第１容器部１１内の薬剤Ｐ１とともに第１孔ｈ１から吸入路３１を介して使用者の体内に取り込まれる。
【００３６】
収納部１０が第２の位置に配置されている状態では、第１孔ｈ１、第２孔ｈ２及び第３孔ｈ３は直線上に配置され、さらに吸入路３１の延長線上に配置される。このため、吸引時に空気が直線的に流れ、良好な空気の流れとともに薬剤Ｐ１を容易に吸引することができる。また、吸い込みの際には、吸引器１の側面に設けられた空気孔ｈ１０からも空気が取り込まれるため、抵抗感少なく素早く薬剤Ｐ１を吸い込むことができる。
【００３７】
次に、図２（ｂ）に表したように、収納部１０を矢印Ｂに示す方向にスライドさせる。これにより、収納部１０の第２容器部１２が、吸入管部３０の下方に配置される（第３の位置）。収納部１０が第３の位置に配置されると、第２容器部１２の第４孔ｈ４と、容器本体２０の底部２２の第２孔ｈ２とが重なる。すなわち、第１孔ｈ１と第２孔ｈ２とを結ぶ直線上に第４孔ｈ４が配置される。
【００３８】
この状態で、先と同様に、使用者は吸入管部３０を口にくわえて息を吸い込む。この吸い込み動作によって吸入路３１内の空気が第１方向Ｄ１に流れ、第１逆止弁４１が開く。さらに、吸い込みを続けると、吸引器１の外部の空気が第２孔ｈ２及び第４孔ｈ４を介して第２容器部１２内に取り込まれ、第２容器部１２内の薬剤Ｐ２とともに第１孔ｈ１から吸入路３１を介して使用者の体内に取り込まれる。
【００３９】
先と同様に、収納部１０が第３の位置に配置されている状態では、第１孔ｈ１、第２孔ｈ２及び第４孔ｈ４が直線上に配置され、さらに吸入路３１の延長線上に配置される。このため、吸引時に空気が直線的に流れ、良好な空気の流れとともに薬剤Ｐ２を容易に吸引することができる。また、この吸い込みの際には、空気孔ｈ１０からも空気が取り込まれるため、抵抗感少なく素早く薬剤Ｐ２を吸い込むことができる。
【００４０】
ここで、収納部１０が第２の位置または第３の位置に配置された状態で使用者が息を吐き出した場合の動作について説明する。図２（ｃ）には、収納部１０が第３の位置に配置された状態が表される。この状態で使用者が息を吐き出したり、咳を出したりした場合、吸入路３１内の空気は第２方向Ｄ２に流れる。これにより、第１逆止弁４１が閉じて第１孔ｈ１を塞ぐように動作する。第１逆止弁４１が閉じているため、吐き出された息は、第１孔ｈ１を介して収納部１０側へ送られることはない。吐き出された息は、隔壁部２１に沿って吸引器１の側面の空気孔ｈ１０から外部に排出される。つまり、使用者が息を吐き出したり、咳を出したりした場合であっても、吐き出した息によって収納部１０内の薬剤Ｐ１及びＰ２が外に放出されてしてしまうことを防止することができる。
【００４１】
（第１の実施形態の変形例）
図３（ａ）に表した吸引器１Ａは、第２逆止弁４２をさらに備えている点で吸引器１と相違する。他の構成は吸引器１と同様である。第２逆止弁４２は、底部２２に設けられた第２孔ｈ２に対して開閉するように設けられる。第２逆止弁４２は、収納部１０のスライド動作に影響を与えないように、底部２２に設けられた凹部分２２ａ内に設けられる。第２逆止弁４２は、吸入路３１を第１方向Ｄ１に空気が流れると開き、吸入路３１を第２方向Ｄ２に空気が流れると閉じるよう動作する。つまり、第２逆止弁４２は、第１逆止弁４１と同様に動作する。すなわち、薬剤Ｐ１及びＰ２を吸引する際には開き、息を吐き出した際には閉じる。
【００４２】
このような第２逆止弁４２が設けられていることで、息を吐き出したり、咳を出したりした場合に第２孔ｈ２が塞がれ、薬剤Ｐ１及びＰ２が第２孔ｈ２から外部に出てしまうことを効果的に抑制することができる。特に、第１逆止弁４１及び第２逆止弁４２の両方が設けられていると、息を吐き出した際に第１孔ｈ１及び第２孔ｈ２が閉じるため、薬剤Ｐ１及びＰ２が外へ出ることを確実に防止することができる。
【００４３】
図３（ｂ）に表した吸引器１Ｂは、第３逆止弁４３及び第４逆止弁４４をさらに備えている点で吸引器１と相違する。他の構成は吸引器１と同様である。第３逆止弁４３は、第１容器部１１の底部２２側に設けられた第３孔ｈ３に対して開閉するように設けられる。第４逆止弁４４は、第２容器部１２の底部２２側に設けられた第４孔ｈ４に対して開閉するように設けられる。第３逆止弁４３及び第４逆止弁４４は、吸入路３１を第１方向Ｄ１に空気が流れると開き、吸入路３１を第２方向Ｄ２に空気が流れると閉じるよう動作する。つまり、第３逆止弁４３及び第４逆止弁４４は、第１逆止弁４１と同様に動作する。すなわち、薬剤Ｐ１及びＰ２を吸引する際には開き、息を吐き出した際には閉じる。
【００４４】
第３逆止弁４３は、収納部１０が第２の位置に配置された状態で息を吐き出したり、咳を出したりした場合に第２孔ｈ２及び第３孔ｈ３を塞ぐことができる。また、第４逆止弁４４は、収納部１０が第３の位置に配置された状態で息を吐き出したり、咳を出したりした場合に第２孔ｈ２及び第４孔ｈ４を塞ぐことができる。これにより、収納部１０が第２の位置及び第３の位置のいずれであっても、薬剤Ｐ１及びＰ２が第２孔ｈ２から外部に出てしまうことを効果的に防止することができる。
【００４５】
図４（ａ）に表した吸引器１Ｃは、収納部１０に第１容器部１１のみが設けられた構成である。その他の構成は吸引器１Ａと同様である。また、図４（ｂ）に表した吸引器１Ｄは、収納部１０に第１容器部１１、第２容器部１２、第３容器部１３及び第４容器部１４が設けられた構成である。その他の構成は吸引器１Ａと同様である。すなわち、収納部１０には、スペースの許容範囲内においていくつの容器部が設けられていてもよい。
【００４６】
隔壁部２１の上に第１逆止弁４１を設けることで、容器本体２０の構成はそのままで、各種の収納部１０の構成に対応することができる。
【００４７】
（第２の実施形態）
次に、第２の実施形態に係る吸引器を説明する。
図５（ａ）に表したように、本実施形態に係る吸引器２は、収納部１０の上に蓋部１０１が設けられる。蓋部１０１には第１孔ｈ１が設けられる。また、容器本体２０の底部２２には第２孔ｈ２が設けられる。また、第１孔ｈ１に対して開閉するように第１逆止弁４１が設けられる。すなわち、本実施形態に係る吸引器２において、容器本体２０の隔壁部２１には第１逆止弁４１は設けられていない。
【００４８】
収納部１０の底部１０２には第３孔ｈ３が設けられる。第３孔ｈ３は、上から見て第１孔ｈ１と重なる位置に設けられることが望ましい。収納部１０は、隔壁部２１と底部２２との間の空間に差し込まれており、隔壁部２１と底部２２との間で横方向にスライドできるようになっている。
【００４９】
図５（ａ）に表したように、収納部１０がスライドしておらず容器本体２０の内側に収まっている位置（第１の位置）にある場合、第１孔ｈ１と第３孔ｈ３とを結ぶ直線上に第２孔ｈ２は配置されない。この状態では、第１孔ｈ１は蓋部１０１によって塞がれ、第２孔ｈ２は底部１０２によって塞がれる。これにより、薬剤Ｐ１が収納部１０の外に出ることはない。
【００５０】
次に、図５（ｂ）に表したように、収納部１０を矢印Ａに示す方向にスライドさせる（第２の位置）。これにより、収納部１０の第３孔ｈ３と容器本体２０の第２孔ｈ２とが重なる。すなわち、第１孔ｈ１と第３孔ｈ３とを結ぶ直線上に第２孔ｈ２が配置される。
【００５１】
この状態で、使用者は吸入管部３０を口にくわえて息を吸い込む。この吸い込み動作によって吸入路３１内の空気が第１方向Ｄ１に流れ、第１逆止弁４１が開く。さらに、吸い込みを続けると、吸引器１の外部の空気が第２孔ｈ２及び第３孔ｈ３を介して第１容器部１１内に取り込まれ、第１容器部１１内の薬剤Ｐ１とともに第１孔ｈ１から吸入路３１を介して使用者の体内に取り込まれる。
【００５２】
収納部１０が第２の位置に配置されている状態では、第１孔ｈ１、第２孔ｈ２及び第３孔ｈ３が直線上に配置され、さらに吸入路３１の延長線上に配置される。このため、吸引時に空気が直線的に流れ、良好な空気の流れとともに薬剤Ｐ１を容易に吸引することができる。また、吸い込みの際には、吸引器１の側面に設けられた空気孔ｈ１０からも空気が取り込まれるため、抵抗感少なく素早く薬剤Ｐ１を吸い込むことができる。
【００５３】
ここで、使用者が息を吐き出したり、咳を出したりした場合、吸入路３１内の空気は第２方向Ｄ２に流れる。これにより、第１逆止弁４１が閉じて第１孔ｈ１を塞ぐように動作する。第１逆止弁４１が閉じているため、吐き出された息は、第１孔ｈ１を介して収納部１０側へ送られることはない。吐き出された息は、隔壁部２１に沿って吸引器１の側面の空気孔ｈ１０から外部に排出される。つまり、使用者が息を吐き出したり、咳を出したりした場合であっても、吐き出した息によって収納部１０内の薬剤Ｐ１が外に放出してしまうことを防止することができる。
【００５４】
なお、図５（ｃ）に表したように、収納部１０の底部１０２に設けられた第３孔ｈ３に対して開閉する第２逆止弁４２をさらに備えていてもよい。第２逆止弁４２は、吸入路３１を第１方向Ｄ１に空気が流れると開き、吸入路３１を第２方向Ｄ２に空気が流れると閉じるよう動作する。つまり、第２逆止弁４２は、第１逆止弁４１と同様に動作する。すなわち、薬剤Ｐ１を吸引する際には開き、息を吐き出した際には閉じる。このような第２逆止弁４２が設けられていることで、息を吐き出したり、咳を出したりした場合に第２孔ｈ２及び第３孔ｈ３が塞がれ、薬剤Ｐ１が第２孔ｈ２及び第３孔ｈ３から外部に放出されてしまうことを効果的に防止することができる。
【００５５】
ここで、本実施形態に係る吸引器２で用いられる第１逆止弁４１の一例について説明する。図６（ａ）の分解斜視図に表したように、収納部１０の上側には、蓋部１０１及び薄板部材１０３が設けられる。蓋部１０１には第１孔ｈ１が設けられる。また、薄板部材１０３には第１逆止弁４１が形成される。
【００５６】
薄板部材１０３としては、例えばフィルム材料が用いられる。このフィルム材料の一部を切り取ることで可動片型の第１逆止弁４１が形成される。蓋部１０１としてフィルム材料を用いてもよい。
【００５７】
図６（ｂ）に表したように、収納部１０の上側の開口部分に蓋部１０１を取り付け、さらにその上に薄板部材１０３を重ね合わせるように取り付ける。これにより、薄板部材１０３に形成された第１逆止弁４１が、蓋部１０１に設けられた第１孔ｈ１を覆うように配置される。
【００５８】
図６（ｂ）には、第１逆止弁４１が開いている状態が表される。すなわち、吸引を行うと、フィルム材料による可動片型の第１逆止弁４１が上側に開き、収納部１０の第１容器部１１に収納された薬剤Ｐ１が第１孔ｈ１から吸入路３１に導かれる。一方、使用者が息を吐き出した際には、フィルム材料による可動片型の第１逆止弁４１が第１孔ｈ１を塞ぐように動作する。これにより、収納部１０の第１容器部１１内に空気が流れ込むことを抑制することができる。
【００５９】
なお、第１容器部１１内に薬剤Ｐ１を収納する際には、蓋部１０１及び薄板部材１０３を取り付ける前に行えばよい。すなわち、蓋部１０１及び薄板部材１０３を収納部１０に取り付ける前に第１容器部１１に薬剤Ｐ１を収納し、収納後、取り付けるようにする。これにより、逆止弁を備えた収納部１０を容易に構成することができる。
【００６０】
（第３の実施形態）
次に、第３の実施形態に係る吸引器を説明する。
図７（ａ）の断面図に表したように、本実施形態に係る吸引器３は、容器本体２０に収納部１０を一体的に備えた構成である。すなわち、収納部１０は、容器本体２０の隔壁部２１と底部２２との間の空間である。隔壁部２１には第１孔ｈ１が設けられ、この第１孔ｈ１に対して開閉する第１逆止弁４１が設けられる。底部２２には第２孔ｈ２が設けられる。第２孔ｈ２に対して開閉する第２逆止弁４２を備えていてもよい。
【００６１】
本実施形態に係る吸引器３においては、容器本体２０が３分割されている。すなわち、容器本体２０は、上部２０１、中間部２０２及び下部２０３を備える。上部２０１は、隔壁部２１よりも上の部分であり、空気孔ｈ１０が設けられる。また、上部２０１には吸入管部３０が取り付けられる。中間部２０２は上部２０１の下の部分である。中間部２０２は隔壁部２１を含み、底部２２よりも上の部分である。下部２０３は中間部２０２の下の部分である。下部２０３は底部２２を含む。
【００６２】
図７（ｂ）の斜視図に表したように、容器本体２０の下部２０３及び中間部２０２の外形は、略円筒形である。また、上部２０１の外形は略円筒形の部分と、この部分から吸入管部３０に向かう略円錐形部分とを含む。
【００６３】
図８の分解斜視図に表したように、容器本体２０は、下部２０３に中間部２０２を螺合し、中間部２０２に上部２０１を螺合することで組み立てられる。容器本体２０が３分割されているため、第１逆止弁４１及び第２逆止弁４２を取り付ける際には分割した状態で行えばよい。また、分割した状態で下部２０３に薬剤Ｐ１を収納した後、中間部２０２及び上部２０１をそれぞれ螺合して組み立てるようにすれば、薬剤Ｐ１の収納も容易に行うことができる。
【００６４】
なお、図７及び図８に表した吸引器３では、３分割された容器本体２０を螺合によって組み立てる構成を例示したが、嵌合など他の手段によって組み立てる構成であってもよい。嵌合によって組み立てる構成では、容器本体２０の略円筒形の部分を他の形状にすることができる。
【００６５】
（第４の実施形態）
次に、第４の実施形態に係る吸引器を説明する。
図９（ａ）の斜視図に表したように、本実施形態に係る吸引器４は、吸入路３１を空気が流れる際に発音する発音部５０を備えている。他の構成は吸引器１と同様である。発音部５０としては、例えば笛が用いられる。笛を用いた発音部５０は、例えば吸入管部３０の途中に設けられる。図９（ａ）に表した例では、吸入管部３０の容器本体２０から突出した部分に設けられる。発音部５０は、吸入管部３０以外にも、空気孔ｈ１０の途中など、空気の流れる部分に設けられていればよい。
【００６６】
発音部５０が設けられていると、吸入路３１の空気の流れを発音の有無によって容易に把握することができる。このため、使用者本人や、吸引を看視している人などが、吸引動作を発音によって確認しやすくなる。
【００６７】
また、発音部５０は、吸入路３１を第１方向Ｄ１に空気が流れる際に第１の音色で発音し、吸入路３１を第２方向Ｄ２に空気が流れる際に第１の音色とは異なる第２の音色で発音するような構成であってもよい。これにより、使用者が吸入しているのか、吐き出しているのかを音色によって判断することができる。
【００６８】
また、図９（ｂ）に表したように、発音部５０に弁５１を設けてもよい。弁５１は、吸入路３１を第１方向Ｄ１に空気が流れると閉じ、第２方向Ｄ２に空気が流れると開くように動作する。これにより、使用者が吸引する際には弁５１が閉じて、吸入路３１から効率良く空気及び薬剤Ｐ１を吸い込むことができる。一方、使用者が息を吐き出した際には弁５１が開いて、空気が発音部５０から外側へ抜ける。この際、外側へ抜ける空気によって発音部５０が発音する。さらに、吸入路３１から収納部１０側へ向かう空気の量が減って、第１逆止弁４１の負担を軽減できるとともに、薬剤Ｐ１の外への放出を効果的に抑制することができるようになる。
【００６９】
以上のように、本実施形態に係る吸引器１、１Ａ、１Ｂ、１Ｃ、１Ｄ、２、３及び４では、吸引の際には第１逆止弁４１が開いて容易に薬剤Ｐ１及びＰ２を吸い込むことができるとともに、息を吐き出した場合には第１逆止弁４１が閉じて薬剤Ｐ１及びＰ２が外へ放出されることを防止することができる。したがって、本実施形態に係る吸引器１、１Ａ、１Ｂ、１Ｃ、１Ｄ、２、３及び４では、使用者に対して息の吐き出しを禁止する必要がなくなり、自然な呼吸動作を繰り返すだけで薬剤Ｐ１及びＰ２を吸引することが可能になる。このため、幼少やお年寄りであっても、特別な吸引動作をすることなく自然に薬剤Ｐ１及びＰ２を体内に取り込むことができるようになる。
【００７０】
また、第２逆止弁４２をさらに備えた吸引器１Ａ、２及び３、第３逆止弁４３及び第４逆止弁４４をさらに備えた１Ｂでは、薬剤Ｐ１及びＰ２が第２孔ｈ２から外へ放出されてしまうことを防止することができる。これは、吸引の際に使用者が息を吐き出した場合のみならず、吸引前において有効である。
【００７１】
例えば、吸引前に薬剤Ｐ１及びＰ２を容器部内の下に集めるため、吸引器の底を机の上などに「トントン」と軽く叩く動作を行う場合がある。この際、もし、収納部１０がスライドした位置にあると、この動作を行ったときに第２孔ｈ２から薬剤Ｐ１及びＰ２が外へ放出されてしまう可能性がある。
【００７２】
本実施形態のように、第２逆止弁４２をさらに備えた吸引器１Ａ、２及び３、第３逆止弁４３及び第４逆止弁４４をさらに備えた１Ｂでは、第２逆止弁４２、第３逆止弁４３及び第４逆止弁４４によって第２孔ｈ２が塞がれているため、この動作を行っても薬剤Ｐ１及びＰ２が外へ飛び散ることはない。
【００７３】
また、本実施形態に係る吸引器１、１Ａ、１Ｂ、１Ｃ、１Ｄ、２、３及び４では、自然な呼吸動作の繰り返しで薬剤Ｐ１及びＰ２を吸引できるため、上記のような吸引前に薬剤Ｐ１及びＰ２を容器部内の下に集めるための動作を行う必要がなくなる可能性がある。
【００７４】
また、通常の状態で第１逆止弁４１、第２逆止弁４２、第３逆止弁４３及び第４逆止弁４４を閉じておくようにすれば、吸引器を倒した場合でも薬剤Ｐ１及びＰ２が外へこぼれ出てしまうことを防止することができる。
【００７５】
なお、上記に本実施形態及びその変形例を説明したが、本考案はこれらの例に限定されるものではない。例えば、前述の各実施形態またはその変形例に対して、当業者が適宜、構成要素の追加、削除、設計変更を行ったものや、各実施形態の特徴を適宜組み合わせたものも、本考案の要旨を備えている限り、本考案の範囲に含有される。
【符号の説明】
【００７６】
１，１Ａ，１Ｂ，１Ｃ，１Ｄ，２，３，４…吸引器
１０…収納部
２０…容器本体
２１…隔壁部
２２…底部
３０…吸入管部
３１…吸入路
４１…第１逆止弁
４２…第２逆止弁
５０…発音部
Ｐ１…薬剤
Ｐ２…薬剤
ｈ１…第１孔
ｈ２…第２孔
ｈ３…第３孔
ｈ４…第４孔
【図１】
0003197551.tif 000003
【図２】
0003197551.tif 000004
【図３】
0003197551.tif 000005
【図４】
0003197551.tif 000006
【図５】
0003197551.tif 000007
【図６】
0003197551.tif 000008
【図７】
0003197551.tif 000009
【図８】
0003197551.tif 000010
【図９】
0003197551.tif 000011